(57)【要約】【課題】排水管や排水溝の途中に設置する従来の雨水ますでは、蚊の発生や臭気の漏洩が起こり、また、耐久性に劣り破損する虞がある。【解決手段】中スクリーン装置１６は、開口部３１を有する中仕切り部材３０と、開口部３１の縁に水を流すために傾斜形成した斜面部３２、３２と、開口部３１に鉛直軸廻りに回転自在に挿入する回転筒４０と、この回転筒４０の下部に切欠き形成した傾斜カム部４５、４５と、回転筒４０の上端に開口部３１を塞ぐ目的で設けた回転板４１と、斜面部３２、３２の下端部に当てるべく回転板４１に折曲げ形成した垂直面部４２、４２と、中仕切り部材３０から延ばし傾斜カム部４５、４５を受けるローラ３６、３６と、からなる様に構成する。【効果】蚊の出入りをより確実に抑え、破損の虞がなく耐久性があり、臭気の漏洩を抑制する雨水ますを提供することができる。【選択図】        図２
2004285659.tif 000002
【特許請求の範囲】
【請求項１】
排水管や排水溝の途中に雨水ます本体を設置し、この雨水ます本体の上部に雨水を通す外スクリーンを取り付け、外スクリーンの下方に雨水を通す中スクリーン装置を配置した雨水ますにおいて、
前記中スクリーン装置は、開口部を有する中仕切り部材と、前記開口部の縁に水を流すために傾斜形成した斜面部と、この斜面部に引き続いて開口部の縁に切欠き形成した切欠き部と、前記開口部に鉛直軸廻りに回転自在に挿入する回転筒と、この回転筒の下部に切欠き形成した傾斜カム部と、前記回転筒の上端に前記開口部を塞ぐ目的で設けた回転板と、前記傾斜部の下端部に当てるべく回転板に折曲げ形成した垂直面部と、前記中仕切り部材から延ばし前記傾斜カム部を受けるローラ若しくはピンと、からなり、
前記中仕切り部材の上に溜めた雨水が前記斜面部を介して流れるときの力を垂直面部で受け、回転筒が鉛直軸廻りに回転し始め、ローラ若しくはピンと傾斜カム部とのカム作用により回転筒が上昇し、回転板が中仕切部材の開口部から上へ離れることにより、開口部を開き得るように構成したことを特徴とする雨水ます。
【請求項２】
前記斜面部の下端部の高さ近傍にて、前記垂直面部に小孔を開けたことを特徴とする請求項１記載の雨水ます。
【発明の詳細な説明】
【０００１】
【発明の属する技術分野】
本発明は路上や庭に集まる雨水を排水管に流下させる雨水ます（「ます」に枡、桝、マスの字が充てられることがあるが、この明細書では「ます」と表記する。）に関する。
【０００２】
【従来の技術】
地中に埋設する排水管へ、地上の水を流入させるために適当な間隔で雨水ますを設ける。すなわち、雨水ますは地中と地上との連絡路となる。
夏場で雨が少なく、排水管に水が流れていないときに、雨水ますの底に若干の水が溜まることがある。この溜まり水に蚊が卵を産み付け、ぼうふらが発生し、蚊が大量に発生することがあり、その対策が必要となる。
【０００３】
この対策として、ますの内部に中蓋を設けて、蚊の発生や悪臭の飛散を防止することが知られている（例えば、特許文献１参照。）。
【０００４】
【特許文献１】
特開２００２−２０１７０４公報  （図１）
【０００５】
以上の特許文献１を、図面を参照の上、詳しく説明する。
図５は特許文献１の図１の再掲図である。ただし、説明の便宜のために符号は振り直し、また、一部、想像線による動きを加える。
従来の排水ますＡは、ます本体１０１の上にます蓋１０２を取り付け、内部に中蓋１０３（傾斜片１０４、１０４を有す。）を開放可能に取り付けたもので、雨水が一定量を超えて一定以上の重力になると巻きばね１０５、１０５のばね力に抗して傾斜片１０４、１０４を開放し、降雨がないときは傾斜片１０４、１０４を閉じる。
【０００６】
すなわち、殆どの期間において中蓋が閉じているため、外からの蚊の浸入を防ぐことができる。蚊が浸入しなければ、ぼうふらが発生する虞がない。仮に、ぼうふらが発生したとしても、成虫となった蚊が中蓋で閉じこめられるため、蚊の発生を効果的に防止することができ、且つ、臭気の漏洩も防止することができるというものである。
【０００７】
【発明が解決しようとする課題】
しかし、上記図５に示す特許文献１の排水ますＡでは、傾斜片１０４、１０４が開いた際に蚊は中蓋１０３を通過することができ、少数ではあるが蚊が出入りする心配がある。
また、排水ますＡでは、雨水が増水した場合、排水管１０６から逆流した雨水で中蓋１０３が破損する虞がある。
【０００８】
そこで、本発明の目的は、蚊の出入りをより確実に抑え、破損の虞がなく耐久性があり、臭気の漏洩を抑制する雨水ますを提供することにある。
【０００９】
【課題を解決するための手段】
上記目的を達成するために請求項１は、排水管や排水溝の途中に雨水ます本体を設置し、この雨水ます本体の上部に雨水を通す外スクリーンを取り付け、外スクリーンの下方に雨水を通す中スクリーン装置を配置した雨水ますにおいて、
前記中スクリーン装置は、開口部を有する中仕切り部材と、前記開口部の縁に水を流すために傾斜形成した斜面部と、この斜面部に引き続いて開口部の縁に切欠き形成した切欠き部と、前記開口部に鉛直軸廻りに回転自在に挿入する回転筒と、この回転筒の下部に切欠き形成した傾斜カム部と、前記回転筒の上端に前記開口部を塞ぐ目的で設けた回転板と、前記傾斜部の下端部に当てるべく回転板に折曲げ形成した垂直面部と、前記中仕切り部材から延ばし前記傾斜カム部を受けるローラ若しくはピンと、からなり、
前記中仕切り部材の上に溜めた雨水が前記斜面部を介して流れるときの力を垂直面部で受け、回転筒が鉛直軸廻りに回転し始め、ローラ若しくはピンと傾斜カム部とのカム作用により回転筒が上昇し、回転板が中仕切部材の開口部から上へ離れることにより、開口部を開き得るように構成したことを特徴とする。
【００１０】
非降雨時には、中仕切り部材の開口部を回転筒の回転板が塞いでいるので、蚊の浸入を阻止することができ、蚊の出入りをより確実に抑えることができると共に、雨水ますの底の汚濁した水から発生する悪臭の上昇流を止めることができる。
【００１１】
降雨時には、雨水が中仕切り部材の斜面部と回転筒の垂直面部に囲まれた箇所に溜まる。溜まった雨水の量が増すと、この雨水の圧力が垂直面部に水平に作用し、回転板が鉛直軸廻りに回転を始める。すると、傾斜カム部がローラ若しくはピンに沿って移動し、このカム作用により回転筒が浮上がる。回転筒が浮上がると、回転板が開口部から離れ、雨水が開口部を通じて落下する。
【００１２】
また、激しい降雨の際に排水管や排水溝から雨水ます本体に排水が逆流し、雨水ます本体が排水で一杯になることがある。
このときには、開口部を塞いでいる回転板が排水の圧力で浮上がる。この浮上により開口部はオープン状態になり、多量の排水が通過可能になる。この結果、中仕切り部材や回転板が破損する心配はない。
【００１３】
すなわち、請求項１によれば、蚊の出入りをより確実に抑え、破損の虞がなく耐久性があり、臭気の漏洩を抑制する雨水ますを提供することができる。
【００１４】
請求項２は、斜面部の下端部の高さ近傍にて、垂直面部に小孔を開けたことを特徴とする。
【００１５】
降雨時であっても雨量が少なければ回転筒が鉛直軸廻りに回転しないことがある。回転はしないが、斜面部と回転筒の垂直面部に囲まれた雨水溜り部には少量の雨水が溜まる。この溜まった雨水に蚊が卵を産み付ける可能性がある。
これを解消するために請求項２では、垂直面部に小孔を設けることで、少量の雨水を下方へ落し、蚊が溜まった雨水に卵を産み付ける虞を排除した。
【００１６】
【発明の実施の形態】
本発明の実施の形態を添付図に基づいて以下に説明する。
図１は本発明に係る雨水ますの断面図であり、雨水ます１０は、土１１の中に配置した雨水ます本体１２と、雨水ます本体１２の上部１３に嵌める格子部１４を備える外スクリーン１５と、外スクリーン１５の下方に配置した中スクリーン装置１６とからなる。１７、１７は雨水ます本体１２に接続した排水管を示す。
【００１７】
雨水ます本体１２は、第１〜４側辺２１〜２４（第２側辺２２及び第４側辺２４は不図示）と、第１〜４側辺２１〜２４の下端に形成した底辺２５と、からなる。
【００１８】
中スクリーン装置１６は、中仕切り部材３０と回転筒４０とからなり、中仕切り部材３０は、平面部３４、第１筒状部３５、ローラ３６、３６（手前のローラ３６は不図示）からなる。ローラ３６はピンであっても良い。
【００１９】
回転筒４０は、回転板４１、第２筒状部４４、傾斜カム部４５、４５（手前の傾斜カム部４５は不図示）からなる。
【００２０】
図２は本発明に係る雨水ますの中スクリーン装置の分解斜視図であり、中仕切り部材３０は、開口部３１を有し、開口部３１の縁に水を流すために傾斜形成した斜面部３２、３２と、この傾斜部３２、３２に引き続いて開口部の縁に切欠き形成した切欠き部３３、３３と、平面部３４と、平面部３４から鉛直下向きに取付けた第１筒状部３５と、ローラ３６、３６で構成する。
【００２１】
一方、回転筒４０は、回転板４１と、この回転板４１から鉛直下向きに折曲げた垂直面部４２、４２と、その垂直面部４２、４２に開けた小孔４３、４３と、回転板４１に鉛直下向きに取付けた第２筒状部４４と、第２筒状部４４下部に形成した傾斜カム部４５、４５で構成する。この傾斜カム部４５、４５はローラ３６、３６に沿わせる。
【００２２】
小孔４３、４３は下開放スリットに変更しても良く、小孔４３、４３を下開放スリットにすることで土やゴミがよりつまりにくくなる。
【００２３】
前記小孔４３の径は任意であるが、目詰りを回避するために例えば５ｍｍにしたときには、小孔４３に例えば１ｍｍ目の防虫網を張ることにする。
【００２４】
これら、中仕切り部材３０と回転筒４０の組合わせにおいては、開口部３１に第２筒状部４４を嵌め、回転板下面４６と平面部３４が接触するようにする。
このとき、第２筒状部４４の外面４４ａ（図１参照）と斜面部３２、３２の内端面３７、３７が接触するようにする。
【００２５】
また、斜面部３２、３２の外端面３８、３８は、第１筒状部３５の内面３５ａ（図１参照）と接触するようにする。
すなわち、斜面部３２、３２は第１筒状部３５と第２筒状部４４の両曲面に接触しているので螺旋形状となる。また、垂直面部４２、４２の下方は、斜面部３２、３２の斜面下端部３９、３９に当てる。
【００２６】
以上の構成から、斜面部３２、３２と垂直面部４２、４２と第１筒状部内面３５ａと第２筒状部外面４４ａの各４面で囲まれたスペースが２箇所でき、そこに雨水を溜めることができる。
【００２７】
以上の構成からなる雨水ますの作用を次に説明する。
図３は本発明に係る雨水ますの作用説明図である。
（ａ）は降雨時であっても雨量が少ないときの説明図であり、回転板４１上に落ちてきた雨水５１は、平面部３４から斜めに下がる斜面部３２を介して雨水溜り部５２に溜る。
雨量が少なけれは、溜まる雨水は少量となり、少量であれば、垂直面部４２を押す力が弱く、回転筒４０が回転するに至らない。
【００２８】
少量の雨の場合は、雨水を中仕切り部材３０の斜面部３２と回転筒４０の垂直面部４２に囲まれた雨水溜り部５２に雨水が溜っても、回転筒４０が回転しないため、少量の雨水が溜まったままとなる。この溜まり水に蚊が卵を産み付ける可能性がある。
【００２９】
そこで、本実施例では、垂直面部４２に小孔４３を開け、この小孔４３から矢印Ａの如く、溜まっている雨水５３を流れ落すようにして溜まり水を無くすることにより、蚊が溜まった雨水５１に卵を産み付ける虞を排除した。
【００３０】
また、非降水時は、中仕切り部材３０の開口部３１（図２参照）を回転筒４０の回転板４１が塞いでいるので、蚊の浸入を阻止することができ、蚊の出入りをより確実に抑える。併せて、雨水ますの底の汚濁した水から発生する悪臭の上昇流を止めることができる。
【００３１】
（ｂ）は通常の降雨時で回転筒４０が回転して浮上がったときの説明図であり、降雨時には、雨水５１が中仕切り部材３０の斜面部３２と回転筒４０の垂直面部４２に囲まれた雨水溜り部５２に溜まる。溜まった雨水５１の量が増すと、この雨水５１の圧力が垂直面部に水平に作用し、回転板４１が鉛直軸廻りに回転を始める。すると、傾斜カム部４５がローラ３６に沿って移動し、このカム作用により回転筒４０が浮上がる。
【００３２】
その結果、回転板４１が開口部３１から離れ、多量の雨水５４が前記開口部３１を通じて矢印Ｂの如く一気に落下する。天候の回復などにより矢印Ｂの流れが弱まる若しくは無くなれば、傾斜カム部４５がローラ３６に沿って逆に移動し、回転筒４４が逆転しつつ下降し、回転板４１は開口部３１に載り、（ａ）に戻る。  すなわち、通常は（ａ）、（ｂ）の何れかの形態となる。しかし、大雨のときには次に説明する逆流が発生することがある。
【００３３】
図４は逆流時の場合の作用説明図である。
激しい降雨の際に排水管１７（図１参照）や排水溝から雨水ます本体１２（図１参照）に排水が逆流し、雨水ます本体１２が排水で一杯になることがある。
このときには、開口部３１（図２参照）を塞いでいる回転板４１が排水の圧力で浮上がる。この浮上により前記開口部３１はオープン状態になり、矢印Ｃ、Ｄ、Ｅの如く多量の排水が通過可能になる。この結果、中仕切り部材３０や回転筒４０が破損する心配はない。
【００３４】
以上に述べたとおりに本発明は、蚊の出入りをより確実に抑え、破損の虞がなく耐久性があり、臭気の漏洩を抑制する雨水ますを提供することができる。
【００３５】
尚、斜面部３２は、斜面部外端面３８と斜面部内端面３７（各々図２参照）と斜面下端部３９が、各々第１筒状部内面３５ａと第２筒状部外面４４ａ（各々図１参照）と垂直面部４２に接していれば良く、螺旋状であれば、その細かい形状、寸法などは特に限定しない。
また、垂直面部４２に開いた小孔４３の寸法や数は限定しない。
【００３６】
さらに、中仕切り部材３０と回転筒４０は、それらの材料について特に限定しないが、ステンレス鋼、アルミニウム、銅、射出成形した樹脂などのうち、耐食性や耐候性と安価なコストを考慮して選定するのが望ましい。
【００３７】
【発明の効果】
本発明は上記構成により次の効果を発揮する。
請求項１によれば、非降雨時には、中仕切り部材の開口部を回転筒の回転板が塞いでいるので、蚊の浸入を阻止することができ、蚊の出入りをより確実に抑えることができると共に、雨水ますの底の汚濁した水から発生する悪臭の上昇流を止めることができる。
【００３８】
降雨時には、雨水が中仕切り部材の斜面部と回転筒の垂直面部に囲まれた箇所に溜まる。溜まった雨水の量が増すと、この雨水の圧力が垂直面部に水平に作用し、回転板が鉛直軸廻りに回転を始める。すると、傾斜カム部がローラ若しくはピンに沿って移動し、このカム作用により回転筒が浮上がる。回転筒が浮上がると、回転板が開口部から離れ、雨水が開口部を通じて落下する。
【００３９】
また、激しい降雨の際に排水管や排水溝から雨水ます本体に排水が逆流し、雨水ます本体が排水で一杯になることがある。
このときには、開口部を塞いでいる回転板が排水の圧力で浮上がる。この浮上により開口部はオープン状態になり、多量の排水が通過可能になる。この結果、中仕切り部材や回転板が破損する心配はない。
【００４０】
すなわち、請求項１によれば、蚊の出入りをより確実に抑え、破損の虞がなく耐久性があり、臭気の漏洩を抑制する雨水ますを提供することができる。
【００４１】
請求項２は、斜面部の下端部の高さ近傍にて、垂直面部に小孔を開けたことを特徴とする。降雨時であっても雨量が少なければ回転筒が鉛直軸廻りに回転しないことがある。回転はしないが、斜面部と回転筒の垂直面部に囲まれた雨水溜り部には少量の雨水が溜まる。この溜まった雨水に蚊が卵を産み付ける可能性がある。
【００４２】
これを解消するために請求項２では、垂直面部に小孔を設けることで、少量の雨水を下方へ落し、蚊が溜まった雨水に卵を産み付ける虞を排除した。
【図面の簡単な説明】
【図１】本発明に係る雨水ますの断面図
【図２】本発明に係る雨水ますの中スクリーン装置の分解斜視図
【図３】本発明に係る雨水ますの作用説明図
【図４】逆流時の場合の作用説明図
【図５】特許文献１の図１の再掲図
【符号の説明】
１０…雨水ます、１２…雨水ます本体、１５…外スクリーン、１６…中スクリーン装置、３０…中仕切り部材、３１…開口部、３２…斜面部、３６…ローラ若しくはピン、４０…回転筒、４１…回転板、４２…垂直面部、４３…小孔、４５…傾斜カム部。
【図１】
2004285659.tif 000003
【図２】
2004285659.tif 000004
【図３】
2004285659.tif 000005
【図４】
2004285659.tif 000006
【図５】
2004285659.tif 000007